【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
測位システムにおいてＴＤＭＡブロードキャストスキームと同期してＴＤＭＡ測位信号を処理する方法であって、
ａ）前記ＴＤＭＡ測位信号を所定のＴＤＭＡシーケンスで送信するステップと、
ｂ）１つ又はそれより多くの受信チャネルであって、それぞれの受信チャネルは１つ又はそれより多くのＴＤＭＡ相関器エンジンを含む受信チャネルを通じて前記ＴＤＭＡ測位信号を受信するステップと、
ｃ）前記１つ又はそれより多くのＴＤＭＡ相関器エンジンのそれぞれを前記所定のＴＤＭＡシーケンスに時間順に同期させるステップと、
ｄ）相互相関アーチファクトを軽減し、高いＳＮ比を達成するように、前記１つ又はそれより多くのＴＤＭＡ相関器エンジンのそれぞれが前記ＴＤＭＡ測位信号の受信と同期してＴＤＭＡタイムスロットの間に前記ＴＤＭＡ測位信号を順次処理するステップと、を含むことを特徴とする方法。
【請求項２】
請求項１に記載の方法において、前記受信するステップは、
ａ）前記ＴＤＭＡ測位信号を前記１つ又はそれより多くのＴＤＭＡ相関器エンジンのそれぞれに同期させるようにＴＤＭＡシーケンス決定手段を構成するステップと、
ｂ）単一のＴＤＭＡ相関器エンジンが複数の同期したＴＤＭＡ測位信号を追跡できるように、前記１つ又はそれより多くのＴＤＭＡ相関器エンジンが、前記ＴＤＭＡ測位信号のそれぞれの受信の間に、特定の擬似ランダムコードと相関させるステップと、
をさらに含む方法。
【請求項３】
請求項２に記載の方法において、前記相関させるステップは、
ａ）チャネルマスタータイミング手段を前記ＴＤＭＡシーケンス決定手段に接続するステップと、
ｂ）前記１つ又はそれより多くのＴＤＭＡ相関器エンジンのそれぞれに対してタイミング基準を提供するように前記チャネルマスタータイミング手段を構成するステップと、
ｃ）前記ＴＤＭＡ測位信号の受信時点と前記チャネルマスタータイミング手段の間の関係を前記ＴＤＭＡシーケンス決定手段が確立することができるように前記チャネルマスタータイミング手段に関して積分期間のスタート及びストップ時点を決定するように前記ＴＤＭＡシーケンス決定手段を構成するステップと、をさらに含む方法。
【請求項４】
請求項１に記載の方法において、
ａ）前記ＴＤＭＡ測位信号の送信時点から受信時点までの伝播遅延を決定するステップと、
ｂ）前記１つ又はそれより多くのＴＤＭＡ相関器エンジンの積分期間のスタート及びストップ時点を決定するステップと、
ｃ）任意の積分期間中に受信した相関パワー値を最大にするよう前記積分期間のスタート及びストップ時点を調節できるように、前記１つ又はそれより多くのＴＤＭＡ相関器エンジンのそれぞれの前記時間順の同期を前記ＴＤＭＡ測位信号の受信に最良適合するように調節するステップと、をさらに含む方法。
【請求項５】
請求項１に記載の方法において、
ａ）測位ユニットデバイスの同期したネットワークのそれぞれからのナビゲーションデータを組み入れた独特なＴＤＭＡ測位信号を送信するステップと、
ｂ）単一の独特なＴＤＭＡ測位信号と連続的に相関させることによって第１の測位ユニットデバイスからの第１の独特なＴＤＭＡ測位信号を取得するステップと、
ｃ）前記取得された第１の独特なＴＤＭＡ測位信号内に組み入れられた前記ナビゲーションデータに、
ｉ）前記第１の測位ユニットデバイスの送信時点を決定し、
ｉｉ）測位ユニットデバイスの前記同期させられたネットワークのＴＤＭＡブロードキャストシーケンスを決定するために、
問合わせるステップと、
ｄ）前記決定された送信時点及び前記決定されたＴＤＭＡブロードキャストシーケンスと同期して前記単一の独特なＴＤＭＡ測位信号及び後続のＴＤＭＡ測位信号を順に処理するステップと、をさらに含む方法。
【請求項６】
ＴＤＭＡブロードキャストスキームと同期してＴＤＭＡ測位信号を処理する測位システムであって、
ａ）前記ＴＤＭＡ測位信号を所定のＴＤＭＡシーケンスで送信するための送信機と、
ｂ）１つ又はそれより多くの受信チャネルであって、それぞれの受信チャネルは１つ又はそれより多くのＴＤＭＡ相関器エンジンを含む受信チャネルを含む前記ＴＤＭＡ測位信号を受信するための受信機と、
ｃ）前記１つ又はそれより多くのＴＤＭＡ相関器エンジンのそれぞれを前記所定のＴＤＭＡシーケンスに時間順に同期させるための同期手段と、
ｄ）相互相関アーチファクトを軽減し、高いＳＮ比を達成するように、前記測位信号の受信と同期してＴＤＭＡタイムスロットの間に前記ＴＤＭＡ測位信号を順次処理するための、前記１つ又はそれより多くのＴＤＭＡ相関器エンジンのそれぞれのための相関手段と、を含むことを特徴とする測位システム。
【請求項７】
請求項６に記載の測位システムにおいて、前記１つ又はそれより多くのＴＤＭＡ相関器エンジンのそれぞれは、
ａ）前記ＴＤＭＡ測位信号を前記１つ又はそれより多くのＴＤＭＡ相関器エンジンのそれぞれに同期させるためのＴＤＭＡシーケンス決定手段と、
ｂ）前記１つ又はそれより多くのＴＤＭＡ相関器エンジンのそれぞれのための、単一のＴＤＭＡ相関器エンジンが複数の同期したＴＤＭＡ測位信号を追跡できるように、前記ＴＤＭＡ測位信号のそれぞれの受信の間に、特定の擬似ランダムコードと相関させる手段と、をさらに含む測位システム。
【請求項８】
請求項７に記載の測位システムにおいて、前記１つ又はそれより多くのＴＤＭＡ相関器エンジンのそれぞれは、
ａ）前記ＴＤＭＡシーケンス決定手段に接続されたチャネルマスタータイミング手段と、
ｂ）前記チャネルマスタータイミング手段のための、前記１つ又はそれより多くのＴＤＭＡ相関器エンジンのそれぞれに対してタイミング基準を提供する手段と、
ｃ）前記ＴＤＭＡシーケンス決定手段のための、前記ＴＤＭＡ測位信号の受信時点と前記チャネルマスタータイミング手段の間の関係を前記ＴＤＭＡシーケンス決定手段が確立することができるように前記チャネルマスタータイミング手段に関して積分期間のスタート及びストップ時点を決定する手段と、をさらに含む測位システム。
【請求項９】
請求項６に記載の測位システムにおいて、
ａ）前記受信機手段のための、前記ＴＤＭＡ測位信号の前記送信機手段からの伝播遅延を決定する手段と、
ｂ）前記受信機手段のための、積分期間のスタート及びストップ時点を決定する手段と、
ｃ）前記受信手段が任意の積分期間中に受信した相関パワー値を最大にするようそれの積分期間のスタート及びストップ時点を調節できるように、前記１つ又はそれより多くのＴＤＭＡ相関器エンジンのそれぞれの前記時間順の同期を前記ＴＤＭＡ測位信号の受信に最良適合するように調節するための手段と、をさらに含む測位システム。
【請求項１０】
請求項６に記載の測位システムにおいて、
ａ）前記送信機手段は、測位ユニットデバイスの同期したネットワークを含み、
ｂ）前記測位ユニットデバイスのそれぞれは、ナビゲーションデータを組み入れた独特なＴＤＭＡ測位信号を送信するものであり、
前記受信機手段は、
ｃ）単一の独特なＴＤＭＡ測位信号と連続的に相関させることによって第１の測位ユニットデバイスから第１の独特なＴＤＭＡ測位信号を取得する手段と、
ｄ）前記取得された第１の独特なＴＤＭＡ測位信号内に組み入れられた前記ナビゲーションデータに、
ｉ）前記第１の測位ユニットデバイスの送信時点を決定し、
ｉｉ）測位ユニットデバイスの前記同期させられたネットワークのＴＤＭＡブロードキャストシーケンスを決定するために、
問合わせる手段と、
ｅ）前記決定された送信時点及び前記決定されたＴＤＭＡブロードキャストシーケンスと同期して前記単一の独特なＴＤＭＡ測位信号及び後続のＴＤＭＡ測位信号を順に処理する手段と、をさらに含むことを特徴とする測位システム。
【請求項１１】
ＴＤＭＡパルス化シーケンスを含む、入力されるＴＤＭＡ測位信号を処理する方法であって、
ａ）前記入力されるＴＤＭＡ測位信号を受信するステップと、
ｂ）１つ又はそれより多くのＴＤＭＡ相関器エンジンが前記入力されるＴＤＭＡ測位信号の受信と同期して前記ＴＤＭＡパルス化シーケンスを順に処理するステップと、
ｃ）相互相関アーチファクトを軽減し、高いＳＮ比を達成するように、前記１つ又はそれより多くのＴＤＭＡ相関器エンジンのそれぞれを前記ＴＤＭＡパルス化シーケンスと時間順に同期させるステップと、を含むことを特徴とする方法。
【請求項１２】
請求項１１に記載の方法において、
ａ）前記入力されるＴＤＭＡ測位信号を前記１つ又はそれより多くのＴＤＭＡ相関器エンジンのそれぞれに同期させるようにＴＤＭＡシーケンス決定手段を構成するステップと、
ｂ）単一のＴＤＭＡ相関器エンジンが複数の同期した入力されるＴＤＭＡ測位信号を追跡できるように、前記１つ又はそれより多くのＴＤＭＡ相関器エンジンが、前記入力されるＴＤＭＡ測位信号のそれぞれの受信の間に、特定の擬似ランダムコードと相関させるステップと、をさらに含む方法。
【請求項１３】
請求項１２に記載の方法において、前記相関させるステップは、
ａ）チャネルマスタータイミング手段を前記ＴＤＭＡシーケンス決定手段に接続するステップと、
ｂ）前記１つ又はそれより多くのＴＤＭＡ相関器エンジンのそれぞれに対してタイミング基準を提供するように前記チャネルマスタータイミング手段を構成するステップと、
ｃ）前記入力されるＴＤＭＡ測位信号の受信時点と前記チャネルマスタータイミング手段の間の関係を前記ＴＤＭＡシーケンス決定手段が確立することができるように前記チャネルマスタータイミング手段に関して積分期間のスタート及びストップ時点を決定するように前記ＴＤＭＡシーケンス決定手段を構成するステップと、をさらに含む方法。
【請求項１４】
請求項１１に記載の方法において、
ａ）前記入力されるＴＤＭＡ測位信号の送信時点から受信時点までの伝播遅延を決定するステップと、
ｂ）前記１つ又はそれより多くのＴＤＭＡ相関器エンジンの積分期間のスタート及びストップ時点を決定するステップと、
ｃ）任意の積分期間中に受信した相関パワー値を最大にするよう前記積分期間のスタート及びストップ時点を調節できるように、前記１つ又はそれより多くのＴＤＭＡ相関器エンジンのそれぞれの前記時間順の同期を前記入力されるＴＤＭＡ測位信号の受信に最良適合するように調節するステップと、をさらに含む方法。
【請求項１５】
ＴＤＭＡパルス化シーケンスを含む、入力されるＴＤＭＡ測位信号を処理する位置受信機であって、
ａ）前記入力されるＴＤＭＡ測位信号を受信する手段と、
ｂ）前記入力されるＴＤＭＡ測位信号の受信と同期して前記ＴＤＭＡパルス化シーケンスを順に処理する１つ又はそれより多くのＴＤＭＡ相関器エンジンと、
ｃ）相互相関アーチファクトを軽減し、高いＳＮ比を達成するように、前記１つ又はそれより多くのＴＤＭＡ相関器エンジンのそれぞれを前記ＴＤＭＡパルス化シーケンスと時間順に同期させる手段と、を含むことを特徴とする位置受信機。
【請求項１６】
請求項１５に記載の位置受信機において、
ａ）前記入力されるＴＤＭＡ測位信号を前記１つ又はそれより多くのＴＤＭＡ相関器エンジンのそれぞれに同期させるＴＤＭＡシーケンス決定手段と、
ｂ）前記１つ又はそれより多くのＴＤＭＡ相関器エンジンのための、単一のＴＤＭＡ相関器エンジンが複数の同期した入力されるＴＤＭＡ測位信号を追跡できるように、前記入力されるＴＤＭＡ測位信号のそれぞれの受信の間に、特定の擬似ランダムコードと相関させる手段と、をさらに含む位置受信機。
【請求項１７】
請求項１６に記載の位置受信機において、前記１つ又はそれより多くのＴＤＭＡ相関器エンジンのそれぞれは、
ａ）前記ＴＤＭＡシーケンス決定手段に接続されたマスターチャネルタイミング手段と、
ｂ）前記マスターチャネルタイミング手段のための、前記１つ又はそれより多くのＴＤＭＡ相関器エンジンのそれぞれに対してタイミング基準を提供する手段と、
ｃ）前記ＴＤＭＡシーケンス決定手段のための、前記ＴＤＭＡ測位信号の受信時点と前記マスターチャネルタイミング手段の間の関係を前記ＴＤＭＡシーケンス決定手段が確立することができるように前記マスターチャネルタイミング手段に関して積分期間のスタート及びストップ時点を決定する手段と、をさらに含む位置受信機。
【請求項１８】
請求項１５に記載の位置受信機において、
ａ）前記入力されるＴＤＭＡ測位信号の送信時点と受信時点の間の伝播遅延を決定する手段と、
ｂ）前記１つ又はそれより多くのＴＤＭＡ相関器エンジンの積分期間のスタート及びストップ時点を決定する手段と、
ｃ）任意の積分期間中に受信した相関パワー値を最大にするよう前記積分期間のスタート及びストップ時点を前記位置受信機が調節できるように、前記１つ又はそれより多くのＴＤＭＡ相関器エンジンのそれぞれの前記時間順の同期を前記入力されるＴＤＭＡ測位信号の受信に最良適合するように調節する手段と、をさらに含む位置受信機。